【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
利用者を含む被写体を撮影して撮影画像を得る撮影部と、
前記撮影部によって得られた撮影画像を編集対象画像として表示する表示部と、
利用者の操作入力に基づいて、前記編集対象画像を編集する編集部と、
前記操作入力に対応する所定の制御を行う制御部と、を備え、
前記表示部は、前記編集対象画像における、補正処理の対象とする顔を所定の顔画像を用いて特定させるとともに前記補正処理の程度を選択させる補正選択画面を、前記編集対象画像とは別の位置に表示し、
前記制御部は、選択中の前記補正処理の程度を、前記編集対象画像における、特定された前記補正処理の対象とする顔の部分に反映させ、前記補正処理の程度の選択が決定されるまで、選択中の前記補正処理の程度が変更されるたびに、前記編集対象画像における前記特定された顔の部分への前記補正処理の変更を反映する、遊戯用撮影装置。
【請求項２】
前記撮影部は、顔アップ画像と全身画像とを撮影可能であり、
前記制御部は、前記操作入力によって前記顔アップ画像と前記全身画像とのうちの少なくとも一方の撮影枚数の指定を受け付け、前記顔アップ画像と前記全身画像とをそれぞれ前記操作入力に基づいた枚数、前記撮影部に撮影させ、
前記制御部は、前記顔アップ画像と前記全身画像との合計枚数の上限値Ｎ（Ｎは正整数）を予め設定しておき、先に前記顔アップ画像を前記操作入力に基づいたｎ枚（ｎは非負整数でｎ≦Ｎ）、前記撮影部に連続して撮影させ、その後に、前記全身画像をＮ−ｎ枚、前記撮影部に連続して撮影させる、請求項１に記載の遊戯用撮影装置。
【請求項３】
人物を被写体として含む画像を編集対象画像として表示する表示ステップと、
利用者の操作入力に基づいて、前記編集対象画像を編集する編集ステップと、
前記操作入力に対応する所定の制御を行う制御ステップと、を備え、
前記表示ステップは、前記編集対象画像における、補正処理の対象とする顔を所定の顔画像を用いて特定させるとともに前記補正処理の程度を選択させる補正選択画面を、前記編集対象画像とは別の位置に表示するステップを含み、
前記制御ステップは、選択中の前記補正処理の程度を、前記編集対象画像における、特定された前記補正処理の対象とする顔の部分に反映させるステップを含み、
前記反映させるステップは、前記補正処理の程度の選択が決定されるまで、選択中の前記補正処理の程度が変更されるたびに、前記編集対象画像における前記特定された顔の部分への前記補正処理の変更を反映することを含む、画像処理方法。
【請求項４】
コンピュータに画像処理を実行させるプログラムであって、
前記プログラムは、
人物を被写体として含む画像を編集対象画像として表示する表示ステップと、
利用者の操作入力に基づいて、前記編集対象画像を編集する編集ステップと、
前記操作入力に対応する所定の制御を行う制御ステップと、を前記コンピュータに実行させ、
前記表示ステップは、前記編集対象画像における、補正処理の対象とする顔を所定の顔画像を用いて特定させるとともに前記補正処理の程度を選択させる補正選択画面を、前記編集対象画像とは別の位置に表示するステップを含み、
前記制御ステップは、選択中の前記補正処理の程度を、前記編集対象画像における、特定された前記補正処理の対象とする顔の部分に反映させるステップを含み、
前記反映させるステップは、前記補正処理の程度の選択が決定されるまで、選択中の前記補正処理の程度が変更されるたびに、前記編集対象画像における前記特定された顔の部分への前記補正処理の変更を反映することを含む、コンピュータプログラム。
【手続補正２】
【補正対象書類名】明細書
【補正対象項目名】発明の名称
【補正方法】変更
【補正の内容】
【発明の名称】遊戯用撮影装置、画像処理方法、及びコンピュータプログラム
【手続補正３】
【補正対象書類名】明細書
【補正対象項目名】０００１
【補正方法】変更
【補正の内容】
【０００１】
本発明は、例えばゲームセンター等に設置されて、遊戯的な写真撮影サービスを利用者に提供する遊戯用撮影装置に関する。また、本発明は、画像処理方法と、当該画像処理をコンピュータに実行させるためのコンピュータプログラムに関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、撮影画像に含まれる利用者ごとの画像部分の補正処理を、簡単かつ確実に行うことができる遊戯用撮影装置等を提供することを目的とする。
【手続補正６】
【補正対象書類名】明細書
【補正対象項目名】０００９
【補正方法】変更
【補正の内容】
【０００９】
本発明の遊戯用撮影装置は、利用者を含む被写体を撮影して撮影画像を得る撮影部と、前記撮影部によって得られた撮影画像を編集対象画像として表示する表示部と、利用者の操作入力に基づいて、前記編集対象画像を編集する編集部と、前記操作入力に対応する所定の制御を行う制御部と、を備え、前記表示部は、前記編集対象画像における、補正処理の対象とする顔を所定の顔画像を用いて特定させるとともに前記補正処理の程度を選択させる補正選択画面を、前記編集対象画像とは別の位置に表示し、前記制御部は、選択中の前記補正処理の程度を、前記編集対象画像における、特定された前記補正処理の対象とする顔の部分に反映させ、前記補正処理の程度の選択が決定されるまで、選択中の前記補正処理の程度が変更されるたびに、前記編集対象画像における前記特定された顔の部分への前記補正処理の変更を反映する。
【手続補正７】
【補正対象書類名】明細書
【補正対象項目名】００１０
【補正方法】変更
【補正の内容】
【００１０】
本発明の遊戯用撮影装置によれば、表示部は、編集対象画像における、補正処理の対象とする顔を所定の顔画像を用いて特定させるとともに補正処理の程度を選択させる補正選択画面を、編集対象画像とは別の位置に表示する。その際に、制御部は、選択中の補正処理の程度を、編集対象画像における、特定された補正処理の対象とする顔の部分に反映させ、補正処理の程度の選択が決定されるまで、選択中の補正処理の程度が変更されるたびに、編集対象画像における前記特定された顔の部分への補正処理の変更を反映する。そのため、利用者は、撮影画像の中から補正処理の対象とする顔を正確に、かつ容易に指定することができる。また、利用者は、編集対象画像で補正の程度を確認しながら、指定した顔に対して施す補正処理の程度を選択することができ、指定した顔に対して容易に満足できる補正処理を施すことができる。また、複数の利用者が撮影画像に含まれる場合に、ユーザごとに補正処理の対象とする顔を指定し、補正処理の程度を選択することによって、ユーザごとに指定した顔に所望する補正処理を施すことができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
本発明の画像処理方法は、上記の遊戯用撮影装置において行われる画像処理の方法に関する。従って、本発明の画像処理方法は、上記の遊戯用撮影装置と同様の作用効果を奏する。
本発明のコンピュータプログラムは、上記の画像処理をコンピュータに実行させるためのプログラムに関する。従って、本発明のコンピュータプログラムは、上記の遊戯用撮影装置と同様の作用効果を奏する。
【手続補正１８】
【補正対象書類名】明細書
【補正対象項目名】００２１
【補正方法】変更
【補正の内容】
【００２１】
以上の通り、本発明によれば、撮影画像に含まれる利用者ごとの画像部分の補正処理を、簡単かつ確実に行うことができる。